(57)【要約】【課題】開口部において高い補強性能を得られるとともに、既存の建築物にも容易に適用できる開口部補強構造を提供することを課題とする。【解決手段】建築物の外壁２の開口部３を補強するための門型の補強部材４を備え、補強部材４は、開口部３に沿って立設される一対の柱構造体１０，１０と、これら柱構造体１０の上部を繋ぐ梁構造体２０とを備えてなり、柱構造体１０は、縦方向に延在する一対の縦弦材１１，１１と、これら縦弦材１１，１１間に架け渡される複数の斜材１２，１２・・とを備えてなるトラス柱１４を有し、梁構造体２０は、横方向に延在する一対の横弦材２１，２１と、これら横弦材２１，２１間に架け渡される複数の斜材２２，２２・・とを備えてなるトラス梁２４を有している。【選択図】図１
2015014169.tif 000002
【特許請求の範囲】
【請求項１】
建築物の外壁の開口部を補強するための門型の補強部材を備え、
前記補強部材は、前記開口部に沿って立設される一対の柱構造体と、これら柱構造体の上部を繋ぐ梁構造体とを備えてなり、
前記柱構造体は、縦方向に延在する一対の縦弦材と、これら縦弦材間に架け渡される複数の斜材とを備えてなるトラス柱を有し、
前記梁構造体は、横方向に延在する一対の横弦材と、これら横弦材間に架け渡される複数の斜材とを備えてなるトラス梁を有している
ことを特徴とする開口部補強構造。
【請求項２】
前記柱構造体は、前記外壁に平行に配置される第一トラス柱と、前記外壁に直交して配置される第二トラス柱とを備え、平面視Ｌ字状を呈している
ことを特徴とする請求項１に記載の開口部補強構造。
【請求項３】
前記第一トラス柱と前記第二トラス柱の上部に平面視Ｌ字状の連結ブラケットを接続し、前記連結ブラケットを前記開口部の上部に設けられた梁に連結することで、前記補強部材が前記外壁に固定されている
ことを特徴とする請求項２に記載の開口部補強構造。
【請求項４】
前記縦弦材、前記斜材および前記横弦材は、丸型パイプにて構成されている
ことを特徴とする請求項１乃至請求項３のいずれか一項に記載の開口部補強構造。
【請求項５】
前記斜材の端部には、スリットが形成され、
前記縦弦材および前記横弦材には、ガセットプレートが設けられており、
前記ガセットプレートを前記スリットに挿入して溶接することで、前記斜材が前記縦弦材または前記横弦材に接合されている
ことを特徴とする請求項４に記載の開口部補強構造。
【請求項６】
前記柱構造体の下部は、基礎にて連結されており、
前記補強部材と前記基礎を合わせて枠状を呈している
ことを特徴とする請求項１乃至請求項５のいずれか一項に記載の開口部補強構造。
【発明の詳細な説明】
【技術分野】
【０００１】
本発明は、建築物の開口部補強構造に関する。
【背景技術】
【０００２】
従来、木造の建築物における開口部は、開口部の上部に背の高い横架材を架け渡したり（例えば特許文献１参照）、開口部を囲う柱および梁の内周部に、枠状フレーム部材を取り付けたり（例えば特許文献２参照）することで補強されている。
【先行技術文献】
【特許文献】
【０００３】
【特許文献１】特開２０１０−２４８８５９号公報
【特許文献２】特開２００５−７６４５０号公報
【発明の概要】
【発明が解決しようとする課題】
【０００４】
近年、地震時に避難通路を確保するために、開口部の高い補強性能が要求されている。しかしながら、従来の補強構造では、壁面内に補強部材が設けられているので、設けられる補強材が制限される。これによって、要求される補強性能が発揮できない場合があるという問題があった。また、従来の補強構造では既設の建築物の開口部を補強するのは困難であった。
【０００５】
ところで、木造の建築物における壁を補強する構成としては、枠状フレーム部材の内側にブレースを設けてなる補強部材を壁の外側に固定するもの（特許第３３４３６４７号公報参照）があったが、本構造は開口部を固定するものではなかった。
【０００６】
そこで、本発明は、前記の問題を解決するためになされたものであり、開口部において高い補強性能を得られるとともに、既存の建築物にも容易に適用できる開口部補強構造を提供することを課題とする。
【課題を解決するための手段】
【０００７】
前記課題を解決するための請求項１に係る発明は、  建築物の外壁の開口部を補強するための門型の補強部材を備え、前記補強部材は、前記開口部に沿って立設される一対の柱構造体と、これら柱構造体の上部を繋ぐ梁構造体とを備えてなり、前記柱構造体は、縦方向に延在する一対の縦弦材と、これら縦弦材間に架け渡される複数の斜材とを備えてなるトラス柱を有し、前記梁構造体は、横方向に延在する一対の横弦材と、これら横弦材間に架け渡される複数の斜材とを備えてなるトラス梁を有していることを特徴とする開口部補強構造である。
【０００８】
このような構成によれば、トラス柱とトラス梁を門型に組み合わせた補強部材で開口部を囲っているので、開口部が大幅に補強される。したがって、地震時における避難通路を確保することができる。さらに、補強部材を外壁の外側に設けているので、外壁材を剥がす必要がなく、既存の建築物にも容易に適用することができる。
【０００９】
請求項２に係る発明は、前記柱構造体が、前記外壁に平行に配置される第一トラス柱と、前記外壁に直交して配置される第二トラス柱とを備え、平面視Ｌ字状を呈していることを特徴とする。このような構成によれば、水平二方向に対抗することができるので、補強性能をより一層高めることができる。
【００１０】
請求項３に係る発明は、前記第一トラス柱と前記第二トラス柱の上部に平面視Ｌ字状の連結ブラケットを接続し、前記連結ブラケットを前記開口部の上部に設けられた梁に連結することで、前記補強部材が前記外壁に固定されていることを特徴とする。このような構成によれば、第一トラス柱と第二トラス柱とが一体的に外壁に固定されるので、開口部の補強性能をさらに高めることができる。
【００１１】
請求項４に係る発明は、前記縦弦材、前記斜材および前記横弦材が、丸型パイプにて構成されていることを特徴とする。このような構成によれば、丸型パイプを用いることで、応力が局所的に作用せず、また外周面のどの方向から応力が作用しても剛性が一定であるので、板厚が必要以上に厚くなる部分がないので、必要最小限の板厚にすることができ、柱構造体および梁構造体の軽量化と高剛性化を同時に図れる。
【００１２】
請求項５に係る発明は、前記斜材の端部には、スリットが形成され、前記縦弦材および前記横弦材には、ガセットプレートが設けられており、前記ガセットプレートを前記スリットに挿入して溶接することで、前記斜材が前記縦弦材または前記横弦材に接合されていることを特徴とする。このような構成によれば、溶接長を確保することができ、固定強度を高められる。
【００１３】
請求項６に係る発明は、前記柱構造体の下部が、基礎にて連結されており、前記補強部材と前記基礎を合わせて枠状を呈していることを特徴とする。このような構成によれば、補強部材と基礎で一体化されるので、補強性能をより一層高めることができる。
【発明の効果】
【００１４】
本発明に係る柱構造体によれば、開口部において高い補強性能を得られるとともに、既存の建築物にも容易に適用することができるといった優れた効果を発揮する。
【図面の簡単な説明】
【００１５】
【図１】本発明の実施形態に係る開口部補強構造を示した斜視図である。
【図２】本発明の実施形態に係る開口部補強構造を設けた建築物を示した全体斜視図である。
【図３】本発明の実施形態に係る開口部補強構造を示した正面図である。
【図４】本発明の実施形態に係る開口部補強構造を示した平面図である。
【図５】柱構造体を示した一部断面正面図である。
【図６】図５のＡ−Ａ線断面図である。
【図７】斜材とガセットプレートを示した分解斜視図である。
【図８】（ａ）は図５のＢ線矢視図、（ｂ）は図５のＣ−Ｃ線断面図である。
【図９】本発明の他の実施形態に係る開口部補強構造を設けた建築物を示した部分斜視図である。
【発明を実施するための形態】
【００１６】
本発明の実施形態について図面を参照して詳細に説明する。本実施形態では、開口部補強構造を木造建築物に適用した場合を例に挙げて説明する。なお、かかる開口部補強構造の適用範囲を木造建築物に限定する趣旨ではない。
【００１７】
図１に示すように、本実施形態に係る開口部補強構造１は、建築物の外壁２の開口部３を補強する門型の補強部材４を備えている。補強部材４は、外壁２の外側において、開口部３を囲むように設けられている。補強部材４は、開口部３の両側に配置される一対の柱構造体１０と、これら柱構造体１０の上部を繋ぐ梁構造体２０とを備えてなる。図２に示すように、補強部材４は、建築物の四面全ての外壁２の開口部３に設けられている。
【００１８】
図１および図３に示すように、柱構造体１０は、縦方向に延在する一対の縦弦材１１，１１と、これら縦弦材１１，１１間に架け渡される複数の斜材１２，１２・・と、縦弦材１１の上端部と下端部で縦弦材１１，１１間に架け渡される水平材１３，１３とを備えてなるトラス柱１４を有している。柱構造体１の上端部は、後記する連結ブラケット１５を介して外壁２内部の梁２ａ（図６の（ａ）参照）に接続されている。柱構造体１の下端部は、建築物の建物基礎５と連結された基礎６に固定されている。
【００１９】
縦弦材１１は、鋼製の丸型パイプにて構成されており、垂直に配置されている。丸型パイプは、例えば内外両面がめっき処理された足場用パイプを用いれば耐食性を向上させることができる。一対の縦弦材１１，１１は、互いに平行に配置されている。図５および図６の上部にも示すように、縦弦材１１の上端は、連結ブラケット１５に溶接されている。連結ブラケット１５は、断面Ｌ字状を呈するアングル材にて構成されており、底面に縦弦材１１の上端面が溶接されている。図５および図６の下部に示すように。縦弦材１１の下端には、ベースプレート１６が溶接されている。ベースプレート１６は、基礎６上に高さ調整用モルタル１７を介して載置され、アンカーボルトＢ１とナットＮにて基礎６に固定されている。
【００２０】
図３、図５及び図６に示すように、互いに対向する縦弦材１１，１１の外周面には、縦弦材１１と斜材１２または水平材１３とを接合するためのガセットプレート１８が溶接されている。ガセットプレート１８は、複数設けられており、斜材１２または水平材１３の取付位置にそれぞれ設けられている。複数のガセットプレート１８のうち、上端および下端に配置されるガセットプレート１８の一方には、一本の斜材１２と水平材１３が接合され、他方には、１本の水平材１３が接合される（図５および図６参照）。上端と下端のガセットプレート１８，１８の間に配置されるガセットプレート１８には、二本の斜材１２が接合される（図３参照）。ガセットプレート１８は、縦弦材１１の長手方向に沿うとともに、外周面の法線方向に延出している。ガセットプレート１８は、矩形形状を呈しており、取り付けられる斜材１２および水平材１３を接合可能な高さ寸法（縦長さ）と突出寸法（横長さ）を有している。
【００２１】
図７にも示すように、斜材１２および水平材１３は、縦弦材１１と同様に鋼製の丸型パイプにて構成されている。図７に示すように、斜材１２および水平材１３の両端部には、スリット１９が形成されている（図７では、斜材１２のみ図示）。スリット１９は、ガセットプレート１８が挿通される部分であって、ガセットプレート１８が挿通可能な幅寸法（ガセットプレート１８の厚さ寸法より若干大きい寸法）を有している。スリット１９は、丸型パイプの端部の外周縁部で、互いに対向する二箇所に形成されている。スリット１９は、斜材１２および水平材１３をガセットプレート１８に取り付けた状態で、外周縁部の上側と下側に位置する。
【００２２】
図５および図６に示すように、斜材１２および水平材１３は、スリット１９，１９にガセットプレート１８を挿通させて、スリット１９の内周面とガセットプレート１８の表面とが付き合わされた部分を溶接することで、ガセットプレート１８に接合されている。溶接は、スリット１９の内周面の全周に渡って施されている。
【００２３】
図１、図４および図８の（ａ）に示すように、柱構造体１０は、外壁２に平行に配置される第一トラス柱１４ａと、外壁２に直交して配置される第二トラス柱１４ｂとを備え、平面視Ｌ字状を呈している。つまり、トラス柱１４は、第一トラス柱１４ａと第二トラス柱１４ｂとで構成され、第一トラス柱１４ａと第二トラス柱１４ｂが互いに直交して配置されている。第一トラス柱１４ａの開口部３側端部に第二トラス柱１４ｂが連結されている。第一トラス柱１４ａと第二トラス柱１４ｂとの連結部分の縦弦材１１は共用されており、一本の縦弦材１１の二側面にガセットプレート１８が設けられている。
【００２４】
図８の（ａ）に示すように、縦弦材１１の上端に設けられた連結ブラケット１５は、平面視Ｌ字状に形成されており、外壁２に平行なアングル材１５ａと外壁２に直交するアングル材１５ｂとを組み合わせてなる。第一トラス柱１４ａの上端部はアングル材１５ａの底面に溶接され、第二トラス柱１４ｂの上端部はアングル材１５ｂの底面に溶接されている。外壁２に平行なアングル材１５ａの立上り部は外壁２の表面に当接している。連結ブラケット１５は、アングル材１５ａを長尺ボルトＢ１およびナットＮを介して外壁２内部の梁２ａに連結することで、外壁２に固定されている。具体的には、アングル材１５ａの立上り部、外壁２の表面材および梁２ａに長尺ボルトＢ２が挿通され、外側からナットＮで締め付けることで、連結ブラケット１５が外壁２に固定されている。長尺ボルトＢ２とナットＮは、梁２ａの長手方向に所定ピッチで複数設けられている。なお、外壁２に直交するアングル材１５ｂの立上り部は、他方のトラス柱１４に対向している。
【００２５】
図１、図４および図８の（ａ）に示すように、梁構造体２０は、横縦方向に延在する一対の横弦材２１，２１と、これら横弦材２１，２１間に架け渡される複数の斜材２２，２２・・と、横弦材２１の両端部で横弦材２１，２１間に架け渡される水平材２３，２３とを備えてなるトラス梁２４にて構成されている。梁構造体２０の両端部は、開口部の両側に位置する柱構造体１０の上端部の連結ブラケット１５に接続されている。
【００２６】
横弦材２１は、縦弦材１１と同様の鋼製の丸型パイプにて構成されており、水平に配置されている。一対の横弦材２１，２１は互いに平行に配置されている。横弦材２１の端部は、ベースプレート２６が溶接されている（図４および図８の（ａ）参照）。ベースプレート２６は、連結ブラケット１５の、壁面２に直交するアングル材１５ｂの立上り部の表面に当接してボルトＢ３およびナットＮにて固定されている。
【００２７】
互いに対向する横弦材２１，２１の外周面には、横弦材２１と斜材２２または水平材２３とを接合するためのガセットプレート２８が溶接されている。ガセットプレート２８は、トラス柱１４のガセットプレート１８と同様の形状を呈しており、斜材２２または水平材２３の取付位置にそれぞれ設けられている。
【００２８】
斜材２２は、トラス柱１４の斜材１２と同様の鋼製の丸型パイプにて構成され、斜材１２と同等の形状を呈している。また、水平材２３は、トラス柱１４の水平材１３と同様の鋼製の丸型パイプにて構成され、水平材１３と同等の形状を呈している。斜材２２と水平材２３にもスリット２９が形成されている。
【００２９】
斜材２２および水平材２３は、スリット２９（図１参照）にガセットプレート２８を挿通させて、スリット２９の内周面とガセットプレート２８の表面とが付き合わされた部分を溶接することで、ガセットプレート２８に接合されている。溶接は、スリット２９の内周面の全周に渡って施されている。
【００３０】
図１および図３に示すように、門型の補強部材４の下部に設けられた基礎６は、後施工アンカー等で建築物の建物基礎５と一体化されており、建築物の外側に張り出している。基礎６は、一方の柱構造体１０の下部から他方の柱構造体１０の下部まで延在しており、補強部材４と基礎６を合わせて開口部３を囲む枠状を呈している。基礎６の両端部は、第一トラス柱１４ａと第二トラス柱１４ｂとを支持する部分であって、外壁２に平行に配置される平行支持部６ａと、外壁２に直交して配置される直交支持部６ｂを備えた平面視Ｌ字状に形成されている。基礎６の両端部の直交支持部６ｂ，６ｂ間に位置する部分は、段状に形成されており、開口部３に繋がる階段７が構成されている。
【００３１】
以上のような構成の開口部補強構造１によれば、柱構造体１０，１０と梁構造体２０からなる門型の補強部材４で開口部３を囲っているので、開口部３が大幅に補強され、開口部３周りの外壁２の変形を抑制できる。これによって、地震時に開口部３の倒壊や変形を防止できるので、避難通路を確保することができる。
【００３２】
また、柱構造体１０は、第一トラス柱１４ａと第二トラス柱１４ｂとを備え平面視Ｌ字状を呈しているので、水平二方向に対抗することができる。これによって、開口部３の補強性能をより一層高めることができる。
【００３３】
さらに、縦弦材１１、斜材１２および水平材１３が丸型パイプにて構成されているので、角パイプやＨ型鋼などのように応力が局所的に作用せず、また外周面のどの方向から応力が作用しても剛性が一定であるので、板厚が必要以上に厚くなる部分がない。したがって、各部材を必要最小限の板厚にすることができ、柱構造体１０の軽量化と高剛性化を同時に図れる。また、横弦材２１、斜材２２および水平材２３も丸型パイプにて構成されているので、同様の作用効果を得られ、梁構造体２０の軽量化と高剛性化を同時に図れる。これによって、補強部材４全体の軽量化と高剛性化をも同時に図れる。
【００３４】
また、斜材１２および水平材１３の端部には、スリット１９が形成され、縦弦材１１に取り付けられたガセットプレート１８をスリット１９に挿入して溶接するようにしたことで、溶接長を確保することができる。これによって、斜材１２および水平材１３と、縦弦材１１との固定強度を高めることができる。また、斜材２２および水平材２３と、横弦材２１に関しても同様に固定強度を高めることができる。
【００３５】
さらに、本実施形態では、補強部材４と基礎６で、開口部３の全周を囲っているので、開口部補強構造１の補強性能をより一層高めることができる。
かかる開口部補強構造１によれば、補強部材４を外壁２の外側に設けているので、外壁材を剥がす必要がない。柱構造体１０の脚部を基礎６上に固定するとともに、柱構造体１０の上端部を梁に固定するだけで、補強部材４が固定されるので、既存の建築物にも容易に適用することができる。
【００３６】
以上、本発明を実施するための形態について説明したが、本発明は前記実施の形態に限定されず、本発明の趣旨を逸脱しない範囲で適宜設計変更が可能である。例えば、前記実施形態では、縦弦材１１および横弦材２１を鋼管にて構成しているが、これに限定されるものではなく、必要な剛性を有していれば、例えばＨ形鋼などの他の形状の形鋼であってもよい。
【００３７】
また、前記実施形態では、補強部材４が開口部３を囲うように設けられているが、これに限定されるものではない。補強部材４は、避難通路としての幅を有していれば、開口部３の前面に配置してもよい（開口部３の一部を囲う）。例えば、図９に示すような構成となる。幅寸法の長い開口部３の外側に、補強部材４が設けられているが、柱構造体１０，１０は開口部３の前面に配置されている。この補強部材４の上端部は、前記実施形態と同様に外壁２内部の梁（図示せず）に連結されている。以上のような構成の開口部補強構造においても、前記実施形態と同様の作用効果が得られる。また、補強部材４は、開口部３の一部を塞ぐことになるが、開口部３の前面を通過するのはトラス柱１４であるので、見通しが良く、風の流れを阻害することもない。
【００３８】
さらに、前記実施形態では、基礎６の中間部分が段状に形成されているが、その形状は段状に限定されるものではない。また、基礎６は、一対の柱構造体１０，１０間に延在していなくてもよく、建物基礎５から柱構造体１０の下部にそれぞれ張り出し（平行支持部６ａと直交支持部６ｂのみの構成）、建物基礎５を介して柱構造体１０，１０を連結する構造であってもよい。このような構成によっても、補強部材４と建物基礎５と基礎６で、開口部３の全周を囲っているので、開口部補強構造１の補強性能をより一層高めることができる。
【００３９】
前記実施形態では、補強部材４は、建築物の四面全ての外壁２の開口部３に設けられているが、建築物の四面の全てに開口部がない場合であっても、開口部のない壁面に補強部材４を設けるようにするのが好ましい。このように建築物の全ての外壁２をバランス良く補強することで、開口部周りだけでなく、建築物全体の補強効果を高めることができる。
【符号の説明】
【００４０】
１      開口部補強構造
２      外壁
２ａ    梁
３      開口部
４      補強部材
６      基礎
１０    柱構造体
１１    縦弦材
１２    斜材
１３    水平材
１４    トラス柱
１４ａ  第一トラス柱
１４ｂ  第二トラス柱
１５    連結ブラケット
１８    ガセットプレート
１９    スリット
２０    梁構造体
２１    横弦材
２２    斜材
２３    水平材
２４    トラス梁
２８    ガセットプレート
２９    スリット
【図１】
2015014169.tif 000003
【図２】
2015014169.tif 000004
【図３】
2015014169.tif 000005
【図４】
2015014169.tif 000006
【図５】
2015014169.tif 000007
【図６】
2015014169.tif 000008
【図７】
2015014169.tif 000009
【図８】
2015014169.tif 000010
【図９】
2015014169.tif 000011